(57)【要約】      （修正有）【課題】保管、運搬時に吊り下げ片が邪魔になったり折損することがなく、見栄えが良好な吊り下げ用紙箱を提供する。【解決手段】折れ線を介して左側面板、前面板、右側面板、後面板および糊代片が連設され、前面板の上辺には天面板と、差し込み片が連設され、起立可能な吊り下げ片と吊り下げ補助片をからなる起立部が形成される、天差し込み板の折れ線の一部の起立部折れ線から、天差し込み板側に切り込み線により、起立部折れ線の長さを半径とする扇形の内部に含まれる形状の吊り下げ部と該吊り下げ部に延設した係止部とからなる形状に形成され、吊り下げ補助片が、同じく起立部折れ線から天面板側に折れ線に直角な折れ線と切り込み線により、略三角形状に形成されたカートンブランクを組み立て、使用時に起立させて表出した吊り下げ片に設けた吊り下げ用穴を利用して吊り下げ可能としたことを特徴とする吊り下げ用紙箱である。【選択図】図１
2006056570.tif 000002
【特許請求の範囲】
【請求項１】
折れ線を介して左側面板、前面板、右側面板、後面板および糊代片が連設され、前記前面板の上辺には天面板が連設され、該天面板の上辺には差し込み片が連設され、前記天面板と前記差し込み片とに渡って起立可能な吊り下げ片と吊り下げ補助片をからなる起立部が形成されており、前記吊り下げ片が、前記天面板と前記天差し込み板の折れ線の一部の起立部折れ線から、前記天差し込み板側に切り込み線により、前記起立部折れ線の長さを半径とする扇形の内部に含まれる形状の吊り下げ部と該吊り下げ部に延設した係止部とからなる形状に形成され、前記吊り下げ補助片が、同じく前記起立部折れ線から前記天面板側に前記折れ線に直角な折れ線と切り込み線により、略三角形状に形成されたカートンブランクを組み立ててなり、
使用時に前記起立部を起立させて表出した前記吊り下げ片に設けた吊り下げ用穴を利用して吊り下げ可能としたことを特徴とする吊り下げ用紙箱。
【請求項２】
前記起立部折れ線の一部から天差し込み板側に切り込み線を入れて摘み片を設け、折れ線を折り曲げた時に、前記吊り下げ補助片から水平に突出させて前記吊り下げ補助片を摘みやすくしたことを特徴とする請求項１に記載の吊り下げ用紙箱。
【請求項３】
前記吊り下げ補助片の切り込み線から天面板に指掛穴が設けられた形状とし、前記吊り下げ補助片を摘みやすくしたことを特徴とする請求項１に記載の吊り下げ用紙箱。
【発明の詳細な説明】
【技術分野】
【０００１】
本発明は、商品を収納して吊り下げて陳列・販売することができる吊り下げ片を備えた吊り下げ用紙箱に関するものである。
【背景技術】
【０００２】
従来、吊り下げ用紙箱としては、紙箱の側面から吊り下げ片を延長して設け、その吊り下げ片に設けた吊り下げ用穴により、吊り下げて陳列・販売をしていた。しかし、このような形態は、流通途中で吊り下げ片が損傷したり、棚に置いて陳列する場合には、吊り下げ片が邪魔をして積み重ねができないため、多くのスペースを必要とするという問題があった。これらの問題を解消するために、種々の形態が提案されている。例えば、後面板の一部を切り起こして吊り下げ片を形成した構成として、保管、輸送等の過程では、吊り下げ片が後面板の一部であるため、吊り下げ片が邪魔となったり折損することなく、吊り下げて展示する時に、吊り下げ片を引き起こせるようにした吊り下げ用紙箱が知られている（例えば、特許文献１参照。）。
【特許文献１】特開平１０−１７５６３０号公報
【発明の開示】
【発明が解決しようとする課題】
【０００３】
しかしながら、上記周知の吊り下げ用紙箱においては、吊り下げる時に紙箱の後板の一部を切り取り吊り下げ片を起立形成する時に、吊り下げ片が摘みにくく、また、切り取った後に、起立部の裏面が露出して見栄えが良くないという問題があった。
【０００４】
本発明はかかる問題点に鑑みてなされたものであって、その目的とするところは、保管、運搬時に吊り下げ片が邪魔になったり折損することがなく、かつ、吊り下げる時に吊り下げ片を容易に形成することができ、形成後の見栄えが良好な吊り下げ用紙箱を提供することにある。
【課題を解決するための手段】
【０００５】
上記目的を達成するための本発明の解決手段は、折れ線を介して左側面板、前面板、右側面板、後面板および糊代片が連設され、前記前面板の上辺には天面板が連設され、該天面板の上辺には差し込み片が連設され、前記天面板と前記差し込み片とに渡って起立可能な吊り下げ片と吊り下げ補助片をからなる起立部が形成されており、前記吊り下げ片が、前記天面板と前記天差し込み板の折れ線の一部の起立部折れ線から、前記天差し込み板側に切り込み線により、前記起立部折れ線の長さを半径とする扇形の内部に含まれる形状の吊り下げ部と該吊り下げ部に延設した係止部とからなる形状に形成され、前記吊り下げ補助片が、同じく前記起立部折れ線から前記天面板側に前記折れ線に直角な折れ線と切り込み線により、略三角形状に形成されたカートンブランクを組み立ててなり、使用時に前記起立部を起立させて表出した前記吊り下げ片に設けた吊り下げ用穴を利用して吊り下げ可能としたことを特徴とする吊り下げ用紙箱である。
【０００６】
また、前記起立部折れ線の一部から天差し込み板側に切り込み線を入れて摘み片を設け、折れ線を折り曲げた時に、前記吊り下げ補助片から水平に突出させて前記吊り下げ補助片を摘みやすくしたこと、あるいは、前記吊り下げ補助片の切り込み線から天面板に指掛穴が設けられた形状とし、前記吊り下げ補助片を摘みやすくしたことを特徴としている。
【発明の効果】
【０００７】
本発明の吊り下げ用紙箱は、吊り下げ片を天差し込み板に切り込み線により設けているために、起立部を起立させる前の状態では突出することがないため、保管、運搬等の邪魔とならず、また損傷されることもないという効果を有している。
【０００８】
実際に吊り下げて使用するする時には、吊り下げ片が吊り下げ部と係止部からなる形状とし、かつ、起立部折れ線の長さを半径とする１/４円形状より小さい形状の吊り下げ部としていることにより、吊り下げ片をスムースに引き出し起立させることができ、かつ、係止部で係止されて吊り下げ強度を保持することができるという効果を有している。
【０００９】
また、吊り下げ片に連結した吊り下げ補助片に摘み部を設けること、あるいは、吊り下げ補助片に接するように天面板に指掛穴を設けることにより、吊り下げ補助片が摘み易くなり、容易に吊り下げ片を引き出すことができるという効果を有している。
【００１０】
また、起立部を起立させることによって、吊り下げ補助部に設けた絵柄を目立たせることができ、ＰＯＰ効果を持たせることができる。
【００１１】
さらに、天折り込み片を天面板の内面側に折り重ねるように設けているため、起立部が起立された状態でも、切り取られた部分から収納物が露出する事もなく塵や埃が侵入することも防止することができるという効果を有している。
【発明を実施するための最良の形態】
【００１２】
以下、本発明の具体的な実施形態を図面を参照しながら説明する。図１は本発明の吊り下げ用紙箱の一実施形態を示す斜視図でり、図２は図１の本発明の吊り下げ用紙箱のブランクを示す展開図であり、図３は図１の本発明の吊り下げ用紙箱のブランクの部分拡大図であり、そして、図４は本発明の吊り下げ用紙箱を実際に使用する方法を説明する斜視図である。また、１は吊り下げ用紙箱、２は起立部、３は吊り下げ片、３ａは吊り下げ部、３ｂは係止部、４は吊り下げ補助片、５は吊り下げ用穴、６は摘み部、７は指掛け穴、１０はブランク、１１は左側面板、１２は前面板、１３は右側面板、１４は後面板、１５は糊代片、１６は天面板、１７は天差し込み板、１８、１９は天折り込み片、２０は底面板、２１は底差し込み片、２２、２３は底折り込み片、ａ〜ｌは折れ線、ｆｃは起立部折れ線、ｍ〜ｏは切り込み線、ｐは折れ線（吊り下げ補助片）、ｑは切り込み線（摘み部）をそれぞれ表わしている。
【００１３】
図１は、本発明の吊り下げ用紙箱の一実施形態を示す斜視図であり、吊り下げ用紙箱１は、吊り下げて使用しない場合、あるいは、吊り下げて使用する前の流通段階での状態は、図１−ａに示す通りであって、一般的なカートンと同様に、直方体形状であり、積み重ね等に支障はない形状である。吊り下げ用紙箱１を実際に吊り下げて使用する場合には、図１−ｂに示すように、起立部２を起立させ、吊り下げ用穴５を利用して吊り下げて陳列・販売を行うことができる。
【００１４】
図１の吊り下げ用紙箱１を形成するためのブランク１０は、図２に示す通りであって、左側面板１１、前面板１２、右側面板１３、後面板１４、糊代片１５が折れ線ａ、ｂ、ｃ、ｄを介してそれぞれ連設され、かつ、前面板１２の上辺には、折れ線ｅを介して天面板１６が連設され、天面板１６の上辺には、折れ線ｆを介して天差し込み片１７が連設され、左側面板１１の上辺には、折れ線ｇを介して天折り込み片１８が連設され、右側面板１３の上辺には、折れ線ｈを介して天折り込み片１９が連設されている。また、前面板１２の下辺には、折れ線ｉを介して底面板２０が連設され、底面板１６の下辺には、折れ線ｊを介して底差し込み片２１が連設され、左側面板１１の下辺には、折れ線ｋを介して底折り込み片２２が連設され、右側面板１３の下辺には、折れ線ｌを介して底折り込み片２３が連設されている。
【００１５】
また、天面板１６と天差し込み板１７の折れ線ｆの略中央部の起立部折れ線ｆｃからは、天差し込み板１７側に、図２および図３に示すように、１/４円周の切り込み線ｍによる吊り下げ部３ａと他の切り込み線ｎによる係止部３ｂが延設された形状に形成された吊り下げ片３が設けられている。すなわち、吊り下げ部３ａは扇形であり、直線の一辺が折れ線ｆの起立部折れ線ｆｃと重なり、もう一方の辺から１/４円周の切り込み線ｍの終止部でストッパーとなるような突起を有する係止部３ｂが延設されている。この吊り下げ部３ａの形状は、本例では起立部折れ線ｆｃの長さを半径とし、切り込み線ｍを円弧とし、中心角を９０度とする１/４円形状（扇形）としているが、この１/４円形状より大きくならない範囲で切り込み線ｍの形状を変化させてもよく、例えば、直線にして吊り下げ部３ａの形状を三角形としてもよい。また、係止部３ｂは、特に形状は限定されず、吊り下げ部３ａとの境界を、吊り下げ部３ａの扇形の円弧の中心点から起立部折れ線ｆｃの長さより長くし、ストッパー機能を持たせている。さらに、この吊り下げ部３ａには、吊り下げ用穴５が穿設されている。
【００１６】
同じく折れ線ｆの起立部折れ線ｆｃから天面板１６側には、折れ線ｆに直角な折れ線ｐと、斜めの切り込み線ｍから引き続く切り込み線ｏで略三角形状に形成された吊り下げ補助片４が設けられている。この切り込み線ｏは直線ではなく、円弧状、波状等の曲線としてもよい。
【００１７】
このように、天面板１６と天差し込み板１７に渡って切り込み線ｍ、ｎ、ｏおよび折れ線ｐにより形成された吊り下げ片３と吊り下げ補助片４とからなる起立部２を形成し、使用時に起立させて表出した吊り下げ片３に設けた吊り下げ用穴５を利用して吊り下げて陳列・販売を行うことができる。また、同時に、起立部２を起立させることにより、吊り下げ補助部４に設けた絵柄を目立たせることができ、ＰＯＰ効果を持たせることができる。
【００１８】
また、起立部２を起立させる時、吊り下げ補助片３ｂを摘みやすくするために、図３−ａに示すように、折れ線ｆの起立部折れ線ｆｃの一部から天差し込み板１７側に切り込み線ｑを入れて摘み片５を設けている。折れ線ｆを折り曲げた時に、この摘み片５が吊り下げ補助片４から水平に突出しているため摘みやすく、この摘み片５を摘まんで起立部２を引き起こすことが容易にできる。
【００１９】
また、起立部２を起立させる時、吊り下げ補助片４を摘みやすくするために、図３−ｂに示すように、吊り下げ補助片４の切り込み線ｏから天面板１６に指掛け穴７が設けられた形状とすることができる。この吊り下げ用紙箱１を吊り下げて陳列・販売するに当たっては、指掛け穴７より指を入れて吊り下げ補助片４を摘んで吊り下げ片３を引き出し、容易に起立部２を起立させることができる。
【００２０】
さらに、吊り下げ部３ａの変形として、起立部折れ線ｆｃの半径の長さの扇形より大きくならない範囲で、図３−ｃに示すように、フック形状とすることができる。
【００２１】
また、本発明の吊り下げ用紙箱１では、天折り込み片１８、１９のいずれか一方あるいは両方を天面板１６に近い大きさの同形とすることが好ましい。このように天面板１６の内側に天折り込み片１８または／および１９を重ねることによって、起立部２を引き起こした後の穴が塞がれて中の収納物が露出することを防ぐことができる。
【００２２】
つぎに、本発明の吊り下げ用紙箱１の組み立て方法は、公知の差し込み式カートンと同様な方法で行うことができる。すなわち、糊代片１５を左側面板１１に貼着すると共に天差し込み板１７を後面板１４の裏面側に差し込むことによって図１−ａに示すような吊り下げ用紙箱１を組み立てることができ、この状態で商品を収納して保管、運搬する。ただし、起立部２の強度を維持するために、天差し込み板１７の吊り下げ片３を除いた部分を後面板１４の裏面に貼り合わせて固定することが好ましい。
【００２３】
実際に、本発明の吊り下げ用紙箱１を吊り下げて使用する時には、図４−ａに示すように、天面板１６の一部の突出した摘み部６を指で摘まんで吊り下げ補助片４を上方に引き上げることにより、天差し込み板１７に設けた吊り下げ片３が引き出され、起立部２を起立させ、図１−ｂに示すような吊り下げ状態とすることができる。このように形成された起立部２の吊り下げ用穴５を支持物に差し込むことにより、図４−ｂに示すように、本発明の吊り下げ用紙箱１を吊り下げることができる。また、同時に、起立部２を起立させることにより、吊り下げ補助部４に設けた絵柄を目立たせることができ、ＰＯＰ効果を持たせることができる。この時、起立部２を起立させても、図４−ｃに示すように、天面板１６の内面側には吊り下げ補助片４よりも大きい天折り込み片１８または１９があり、吊り下げ補助片４を起こした後の穴（斜線部）から中の収納物が露出することはない。
【産業上の利用分野】
【００２４】
本発明は、商品を収納して吊り下げて陳列・販売することができる吊り下げ用紙箱に使用されるものであり、例えば、雑貨品類、医薬品類、食品・菓子類、パソコン部品、オーディオ部品、玩具等を収納し、保管、運搬等では通常の紙箱と同様に扱うことができ、店頭においては吊り下げて陳列、販売することができる形態の紙箱として幅広く利用できるものである。
【図面の簡単な説明】
【００２５】
【図１】本発明の吊り下げ用紙箱の一実施形態を示す斜視図である。
【図２】図１の本発明の吊り下げ用紙箱のブランクを示す展開図である。
【図３】図１の本発明の吊り下げ用紙箱のブランクの部分拡大図である。
【図４】本発明の吊り下げ用紙箱を実際に使用する方法を説明する斜視図である。
【符号の説明】
【００２６】
１    吊り下げ用紙箱
２    起立部
３    吊り下げ片
３ａ  吊り下げ部
３ｂ  係止部
４    吊り下げ補助片
５    吊り下げ用穴
６    摘み部
７    指掛け穴
１０    ブランク
１１    左側面板
１２    前面板
１３    右側面板
１４    後面板
１５    糊代片
１６    天面板
１７    天差し込み板
１８    天折り込み片
１９    天折り込み片
２０    底面板
２１    底差し込み片
２２    底折り込み片
２３    底折り込み片
ａ〜ｌ  折れ線
ｆｃ  起立部折れ線
ｍ〜ｏ  切り込み線
ｐ    折れ線（吊り下げ片）
ｑ    切り込み線（摘み部）
【図１】
2006056570.tif 000003
【図２】
2006056570.tif 000004
【図３】
2006056570.tif 000005
【図４】
2006056570.tif 000006